(57)【要約】      （修正有）【課題】複数のタグを積層して揃えた状態で容易に装着することができ、且つ、ずれを防止しつつ、タグを対象物に容易に取り付けることができるタグ取り付け具を提供する。【解決手段】内面２２側に設けられた接着部同士が当接した際に接着するタグ２に形成された貫通孔２１に挿通可能な挿通軸３１を貫通孔２１に挿通させた状態で複数のタグ２を着脱自在に保持するタグ保持手段３と、連結部材７と、連結部材７に取り付けられ、タグ保持手段３に保持されたタグ２のずれを規制するタグずれ防止部４と、タグ２の外面２３側をそれぞれ押圧し、接着部同士を当接させて接着させるために、先端側が所定位置から互いに近接するように、基端側がタグずれ防止部４に回動自在に取り付けられる一対のタグ押さえ片５ａ、５ｂと、一対のタグ押さえ片５ａ、５ｂを互いに離反する方向に回動させる付勢力を作用させる第１付勢手段６とを備えるタグ取り付け具１。【選択図】図４
2015160655.tif 000002
【特許請求の範囲】
【請求項１】
内面側に設けられた接着部同士が当接した際に接着するタグに形成された貫通孔に挿通可能な挿通軸を前記貫通孔に挿通させた状態で積層された複数の前記タグを着脱自在に保持するタグ保持手段と、
前記挿通軸が取り付けられる連結部材と、
前記連結部材に取り付けられ、前記タグ保持手段に保持された前記タグのずれを規制するタグずれ防止部と、
前記タグの外面側をそれぞれ押圧し、前記接着部同士を当接させて接着させるために、先端側が所定位置から互いに近接するように、基端側が前記タグずれ防止部に回動自在に取り付けられる一対のタグ押さえ片と、
前記一対のタグ押さえ片をそれぞれ前記所定位置に戻すように、互いに離反する方向に回動させる付勢力を作用させる第１付勢手段と、を備えることを特徴とするタグ取り付け具。
【請求項２】
前記タグずれ防止部は、前記タグのずれを規制する規制状態から、前記タグのずれの規制を解除する解除状態へ回動自在に前記連結部材に取り付けられる一対のタグずれ防止カバー部材と、前記一対のタグずれ防止カバー部材の前記規制状態を保持する固定手段と、を備えることを特徴とする請求項１に記載のタグ取り付け具。
【請求項３】
前記タグ保持手段は、前記挿通軸の先端に設けられた複数のブラシ毛であることを特徴とする請求項１又は２に記載のタグ取り付け具。
【請求項４】
前記タグ保持手段は、前記挿通軸の先端に設けられ、当該挿通軸よりも大径の拡径部であることを特徴とする請求項１又は２に記載のタグ取り付け具。
【請求項５】
前記タグ保持手段は、前記一対のタグずれ防止カバー部材の内面側に設けた摩擦部材であることを特徴とする請求項２に記載のタグ取り付け具。
【請求項６】
前記一対のタグ押さえ片の先端側に、基端側がそれぞれ回動自在に、且つ先端側が互いに接近する方向に第２付勢手段により、回転付勢するように取り付けられ、更に前記タグの両端側のずれをそれぞれ規制し、前記一対のタグ押さえ片を前記所定位置から前記第１付勢手段の付勢力に抗して互いに近接する方向へ回動させる際に、前記先端側が互いに当接して、前記一対のタグ押さえ片の近接する方向に対して前記第２付勢手段の付勢力に抗して逆方向に回動する一対の端部カバー部材を備えることを特徴とする請求項１乃至５のいずれかに記載のタグ取り付け具。
【請求項７】
作業者の手の指を固定するためのバンドを支持するバンド支持部材が、前記タグずれ防止部に設けられていることを特徴とする請求項１乃至６のいずれかに記載のタグ取り付け具。
【発明の詳細な説明】
【技術分野】
【０００１】
本発明は、対象物にタグを取り付けるためのタグ取り付け具に関する。
【背景技術】
【０００２】
従来から、商品や植物等の対象物にタグを取り付けることが行われている。このようなタグの取り付け作業は、作業者の手で直接行われることもあるが、タグを取り付ける対象物の数が多い場合には、タグの取り付け作業に多くの手間と時間を要するという問題がある。そのため、これまでに簡易な作業で対象物にタグの取り付けを行うための器具が提案されている（例えば、特許文献１参照）。
【０００３】
特許文献１の器具１００は、主に植物の受粉日を識別するためのタグを植物のつるや果こう等の対象物に取り付けるためのものであって、図１６に示すように、それぞれの一端側が回動自在に軸１０１によって固定される２つの支持片１０２ａ、１０２ｂと、この２つの支持片１０２ａ、１０２ｂのそれぞれの他端側に固定されるクッション部材１０３ａ、１０３ｂと、支持片１０２ａ、１０２ｂのそれぞれの他端側が互いに離反する方向に回動するように付勢する引張バネ１０４とを有しており、クッション１０３ａ、１０３ｂに、柔軟性を有する短冊形状に形成され、表面の一端１０５ａ及び他端１０５ｂに剥離可能な粘着材が付けられたタグ１０５が積層された状態で装着されている。この積層されたタグ１０５は、上層から１枚ずつ剥れるように、上層から下層にかけて付けられる粘着材の粘着強度が順次低下するように積層されており、最も下層のタグ１０５の裏面の一端１０５ａ及び他端１０５ｂが、例えば、ゴムや薄いアルミ等の弾性を有する材質により構成される支持プレート１０６ａ、１０６ｂにそれぞれ接着され、この支持プレート１０６ａ、１０６ｂを介して、クッション部材１０３ａ、１０３ｂの互いに相向かい合う内面に固定されている。
【０００４】
そして、この器具１００を用いて、植物の果こうやつる等の対象物１０７にタグ１０５を取り付ける際には、タグ１０５の内周側に対象物１０７を位置させた状態で、作業者は、引張バネ１０４の付勢力に抗して、クッション部材１０３ａ、１０３ｂが互いに近接するように、支持片１０２ａ、１０２ｂ及びクッション部材１０３ａ、１０３ｂを内側方向に押圧することにより、積層されたタグ１０５のうち、最も上層のタグ１０５の表面の一端１０５ａ及び他端１０５ｂがそれぞれに付けられた粘着材により粘着させられ、対象物１０７の周囲を囲んだ状態で、当該タグ１０５はリング状に形成され、対象物１０７に取り付けられる。その後、作業者は、支持片１０２ａ、１０２ｂ及びクッション部材１０３ａ、１０３ｂの内側方向への押圧をやめることにより、引張バネ１０４の付勢力によって、クッション部材１０３ａ、１０３ｂはそれぞれ離れた状態に戻るので、対象物１０７に取り付けられたタグ１０５が積層された状態から自動的に剥離され、対象物１０７へのタグ１０５の取り付け作業を完了することができる。
【先行技術文献】
【特許文献】
【０００５】
【特許文献１】特開２０１１−２４６１６２号公報
【発明の概要】
【発明が解決しようとする課題】
【０００６】
しかしながら、特許文献１では、タグは、上層から下層にかけて付けられる粘着材の粘着強度が順次低下するように積層され、積層されたタグのうち、最も下層のタグの裏面をクッション部材に接着させて装着しているため、積層されたタグの数が減ってきたような場合でも、容易に補充することができないという問題がある。また、特許文献１では、最も下層のタグの裏面をクッション部材に接着させて装着させる際に、ずれが生じると、作業者が、支持片及びクッション部材を内側方向に押圧した際に、積層されたタグのうち、最も上層のタグの表面の一端及び他端にそれぞれに付けられた粘着材がきっちりと重なり合わない虞があるため、最も下層のタグの裏面をクッション部材に装着する際は、ずれが生じないように、慎重に作業を行う必要がある。
【０００７】
本発明は、上記のような課題に鑑みてなされたものであって、複数のタグを積層して揃えた状態で容易に装着することが可能で、且つ、ずれを防止しつつ、タグを対象物に容易に取り付けることができるタグ取り付け具を提供することを目的とする。
【課題を解決するための手段】
【０００８】
上記目的を達成するために、請求項１に記載のタグ取り付け具は、内面側に設けられた接着部同士が当接した際に接着するタグに形成された貫通孔に挿通可能な挿通軸を前記貫通孔に挿通させた状態で積層された複数の前記タグを着脱自在に保持するタグ保持手段と、前記挿通軸が取り付けられる連結部材と、前記連結部材に取り付けられ、前記タグ保持手段に保持された前記タグのずれを規制するタグずれ防止部と、前記タグの外面側をそれぞれ押圧し、前記接着部同士を当接させて接着させるために、先端側が所定位置から互いに近接するように、基端側が前記タグずれ防止部に回動自在に取り付けられる一対のタグ押さえ片と、前記一対のタグ押さえ片をそれぞれ前記所定位置に戻すように、互いに離反する方向に回動させる付勢力を作用させる第１付勢手段と、を備えることを特徴としている。
【０００９】
請求項２に記載のタグ取り付け具は、前記タグずれ防止部が、前記タグのずれを規制する規制状態から、前記タグのずれの規制を解除する解除状態へ回動自在に前記連結部材に取り付けられる一対のタグずれ防止カバー部材と、前記一対のタグずれ防止カバー部材の前記規制状態を保持する固定手段と、を備えることを特徴としている。
【００１０】
請求項３に記載のタグ取り付け具は、前記タグ保持手段が、前記挿通軸の先端に設けられた複数のブラシ毛であることを特徴としている。
【００１１】
請求項４に記載のタグ取り付け具は、前記タグ保持手段が、前記挿通軸の先端に設けられ、当該挿通軸よりも大径の拡径部であることを特徴としている。
【００１２】
請求項５に記載のタグ取り付け具は、前記タグ保持手段が、前記一対のタグずれ防止カバー部材の内面側に設けた摩擦部材であることを特徴としている。
【００１３】
請求項６に記載のタグ取り付け具は、前記一対のタグ押さえ片の先端側に、基端側がそれぞれ回動自在に、且つ先端側が互いに接近する方向に第２付勢手段により、回転付勢するように取り付けられ、更に前記タグの両端側のずれをそれぞれ規制し、前記一対のタグ押さえ片を前記所定位置から前記第１付勢手段の付勢力に抗して互いに近接する方向へ回動させる際に、前記先端側が互いに当接して、前記一対のタグ押さえ片の近接する方向に対して前記第２付勢手段の付勢力に抗して逆方向に回動する一対の端部カバー部材を備えることを特徴としている。
【００１４】
請求項７に記載のタグ取り付け具は、作業者の手の指を固定するためのバンドを支持するバンド支持部材が、前記タグずれ防止部に設けられていることを特徴としている。
【発明の効果】
【００１５】
請求項１に記載のタグ取り付け具によれば、内面側に設けられた接着部同士が当接した際に接着するタグに形成された貫通孔を、挿通軸に挿通させることにより、積層された複数のタグを揃えた状態で容易に装着させることができ、且つ、タグの数が減少したような場合でも、必要な数のタグを容易に補充することができる。また、タグ保持手段に保持されたタグのずれを規制するタグずれ防止部が設けられているので、タグ保持手段に保持されている複数のタグを揃えた状態で、一対のタグ押さえ片によりタグの外側面をそれぞれ押圧することによって、タグのずれを防止しつつ、タグを対象物に対して容易に取り付けることができる。
【００１６】
請求項２に記載のタグ取り付け具によれば、タグずれ防止部は、タグのずれを規制する規制状態から、タグのずれの規制を解除する解除状態へ回動自在に連結部材に取り付けられる一対のタグずれ防止カバー部材を備えているので、タグを装着する際は、一対のタグずれ防止カバー部材を規制状態から解除状態へ回動させることで、容易にタグ保持手段によりタグを保持させることができる。また、タグをタグ保持手段により保持させた後は、一対のタグずれ防止カバー部材を解除状態から規制状態に戻すことにより、容易にタグのずれを規制することができる。また、タグずれ防止部は、一対のタグずれ防止カバー部材の規制状態を保持する固定手段を備えているので、タグがタグ保持手段により保持された後、規制状態が容易に解除され、タグにずれが生じてしまうことを防止することができる。
【００１７】
請求項３に記載のタグ取り付け具によれば、タグ保持手段が挿通軸の先端に設けられた複数のブラシ毛であるので、タグの貫通孔に挿通軸を挿通させる際及び挿通軸を貫通孔から抜き出す際にブラシ毛は貫通孔内に収まるように変形し、挿通後及び抜き出し後に元の状態に回復するので、容易にタグをブラシ毛によって着脱自在に保持することができる。
【００１８】
請求項４に記載のタグ取り付け具によれば、タグ保持手段が挿通軸の先端に設けられ、当該挿通軸よりも大径の拡径部であるので、挿通軸に挿通されたタグの貫通孔が拡径部に引っ掛かることにより、タグを容易に保持することができる。
【００１９】
請求項５に記載のタグ取り付け具によれば、タグ保持手段が一対のタグずれ防止カバー部材の内面側にそれぞれ設けた摩擦部材であるので、一対のタグずれ防止カバー部材内に収納されたタグの両側縁との接触部分に作用する摩擦力によりタグを保持することができる。
【００２０】
請求項６に記載のタグ取り付け具によれば、タグ保持手段に支持されたタグの両端側のずれをそれぞれ規制する一対の端部カバー部材を備えているので、タグの両端にずれが生じたり、折れ曲がってしまったりすることを防止することができる。
【００２１】
請求項７に記載のタグ取り付け具によれば、作業者の手の指を固定するためのバンドを支持するバンド支持部材がタグずれ防止部に設けられているので、作業者は、指をしっかりと固定した状態で、一対のタグ押さえ片の操作を行うことができ、取り付け作業の作業性を向上させることができる。また、指につけたまま他の作業もしやすくなる。
【図面の簡単な説明】
【００２２】
【図１】本発明の実施形態におけるタグ取り付け具の構成の一例を示す概略正面図である。
【図２】タグの一例を示す概略図であって、（ａ）はタグの内面側を示しており、（ｂ）はタグの外面側を示している。
【図３】タグ保持手段の一例を示す概略模式図である。
【図４】解除状態におけるタグ取り付け具の一例を示す概略正面図である。
【図５】解除状態におけるタグ取り付け具の一例を示す概略平面図である。
【図６】図５におけるＡ−Ａ線断面図である。
【図７】タグ保持手段に挿通軸に装着されたタグを保持する際の様子を示す概略模式図である。
【図８】積層されたタグが装着された際のタグ取り付け具を示す概略正面図である。
【図９】タグ取り付け具を用いて対象物にタグを取り付ける際の状態を示す概略模式図である。
【図１０】対象物にタグを取り付けた際の様子を示す概略模式図である。
【図１１】タグ保持手段の他の一例を示す概略模式図である。
【図１２】図１１におけるタグ保持手段にタグが装着された際の状態を示す概略正面図である。
【図１３】タグ保持手段の他の一例を示す概略模式図である。
【図１４】タグ保持手段の他の一例を示す概略縦断面図である。
【図１５】タグ押さえ片及び端部カバー部材の他の一例を示す概略模式図である。
【図１６】タグを取り付けるための従来技術の一例を示す概略模式図である。
【発明を実施するための形態】
【００２３】
以下、本発明の実施形態に係るタグ取り付け具１について、図面を参照しつつ説明する。タグ取り付け具１は、例えば、商品や植物等の対象物を識別するための目印等となるタグ２を取り付けるためのものであって、図１及び図８に示すように、タグ２に形成された貫通孔２１に挿通可能な挿通軸３１と、該挿通軸３１を貫通孔２１に挿通させた状態で積層された複数のタグ２を着脱自在に保持する複数のブラシ毛（タグ保持手段）３と、複数のブラシ毛３によって保持されたタグ２のずれを規制するタグずれ防止部４と、先端側が互いに近接するように、基端側がタグずれ防止部４にそれぞれ回動自在に取り付けられる一対のタグ押さえ片５ａ、５ｂと、この一対のタグ押さえ片５ａ、５ｂを互いに離反する方向に付勢する板ばね（第１付勢手段）６とを備えている。尚、タグ取り付け具１の用途は、特に限定されるものではなく、すいか等の受粉日を識別するためのタグ取り付け作業や、ブドウやきゅうり等の誘引や放置自転車の注意札等、タグ２を取り付ける作業を行う様々な用途に用いることができる。また、タグ取り付け具１全体は、当該タグ取り付け具１をタグ２の取り付け作業中に落としてしまったような場合や暗所等でも、目立つように、例えば、オレンジ色等の暖色系に着色されていても良い。
【００２４】
タグ取り付け具１に装着されるタグ２は、例えば、柔軟性を有した短冊形状のものであって、図２に示すように、中央部に貫通孔２１が形成されている。このタグ２は、図２（ａ）に示すように、内面２２側の貫通孔２１を除くハッチングで示す部分全体に接着剤が塗布された接着部を有しており、図２（ｂ）に示すように、外面２３側は、接着部を有しないものである。タグ２では、内面２２側に設けられた接着部同士が接触した場合のみに接着するように構成されており、タグ２の内面２２側の接着部とタグ２の外面２３が接触した場合には接着しないようになっている。従って、図４に示すように、複数のタグ２を積層させた場合でも、接着部が有する内面２２と接着部を有しない外面２３とが、接触した状態になるので、それぞれのタグ２を互いに接着させることなく、積層させることができる。内面２２側に設けられる接着部としては、例えば、アドヘア糊等の自着性接着剤等を用いることができる。尚、図２に示すタグ２では、貫通孔２１を除く内面２２の全体に接着部を有する例を示しているが、接着部が設けられる箇所は、これに限定されるものではなく、タグの縁同士は接着しないようにタグの縁部には接着部を設けないようにしたり、又はタグ２の両端側のみに接着部を設ける等の方法でも良い。
【００２５】
タグ保持手段３は、図３に示すように、挿通軸３１をタグ２に形成された貫通孔２１に挿通させた状態で複数のタグ２を着脱自在に保持するものであって、挿通軸３１の先端側に設けられる複数のブラシ毛３により構成されている。挿通軸３１は、図６に示すように、その基端にキャップ部材３３を有しており、連結部材７の中央に形成された雌ネジ部７１と挿通軸３１の基端側に形成された雄ネジ部３４とが螺合することにより、連結部材７上にキャップ部材３３が当接した状態で取り付けられる。複数のブラシ毛３によって、複数の積層されたタグ２を挿通軸３１に装着させた状態で保持させる際には、図４及び図７（ａ）に示すように、まずタグ２の外面２３側から挿通軸３１を貫通孔２１に挿通させる。この際、ブラシ毛３は、図７（ａ）に示すように、貫通孔２１内に収まるよう変形し、挿通後は図７（ｂ）に示すように、元の状態に回復する。ブラシ毛３は、図７（ｂ）に示すように、最も外側のタグ２の貫通孔２１の外周方向に延びて貫通孔２１を塞いでいるので、挿通後はこのブラシ毛３により、力を加えない限り、挿通軸３１からタグ２が抜け出ることはない。尚、挿通軸３１に装着されたタグ２を交換する際などにおいて、タグ２を抜き出す時も同様に、ブラシ毛３は、貫通孔２１内に収まるよう変形し、タグ２が抜き出された後、元の状態に回復するので、複数のタグ２を必要に応じて容易に着脱することができる。
【００２６】
タグずれ防止部４は、図１に示すように、タグ保持手段３に保持されたタグ２が挿通軸３１を中心に回転すること等によるずれを規制するために、挿通軸３１の周囲に設けられるものであって、一対のタグずれ防止カバー部材４１ａ、４１ｂと、この一対のタグずれ防止カバー部材４１ａ、４１ｂを保持するための固定手段として機能する固定手段４２を備えている。
【００２７】
一対のタグずれ防止カバー部材４１ａ、４１ｂは、それぞれ連結部材７に設けられた軸８に回動自在に取り付けられており、図１及び図８に示すようなタグ２の回転等によるずれを規制するために挿通軸３１の周囲を囲む規制状態から図４に示すようなタグ２のずれの規制状態を解除する解除状態へ回動（一対のタグ押さえ片５ａ、５ｂを互いに離反させる方向へ回動）できるように構成されている。一対のタグずれ防止カバー部材４１ａ、４１ｂは、例えば、樹脂や金属等の材料によって構成され、それぞれ略同形状に形成されている。また、一対のタグずれ防止カバー部材４１ａ、４１ｂは、規制状態及び解除状態の際に、互いに当接するように構成されており、互いに当接する部分が噛み合うような形状に形成されている。尚、一対のタグずれ防止カバー部材４１ａ、４１ｂは、タグ２の残量の目安となる目盛りを入れておくことにより、作業者がタグずれ防止カバー部材４１ａ、４１ｂの外側からでも複数のブラシ毛３によって保持されているタグ２の残量が容易に把握できるように構成しても良い。
【００２８】
また、一方のタグずれ防止カバー部材４１ｂには、図９に示すように、作業者の手１６の指１６ｃを固定するためのバンド１０を支持するためのバンド支持部材９が一体として形成されている。従って、図９に示すように、例えば、指１６ｃとして中指を固定するようにすれば、フリーになっている親指１６ａと人差し指１６ｂで、指先を使う他の作業も容易に行うことができる。指１６ｃを固定するバンド１０としては、詳しくは図示しないが、例えば、バンド支持部材９に通すことが可能な帯状に形成され、指の太さに応じて長さを調節して、面ファスナ等により着脱自在に固定することができるもの等を用いることができる。尚、タグずれ防止カバー部材４１ｂとバンド支持部材９は、必ずしも一体成形する必要はなく、バンド支持部材９をタグずれ防止カバー部材４１ｂにねじ等で取り付けるように別々の部材として構成しても良い。
【００２９】
固定手段４２は、一対のタグずれ防止カバー部材４１ａ、４１ｂを規制状態で保持するためのものであって、本実施形態では、図１に示すように、一対のタグずれ防止カバー部材４１ａ、４１ｂが規制状態の際に当接する箇所にそれぞれ形成されている凹部４３及び凸部４４がその役割を果たしている。凹部４３は、弾性を有する樹脂等の材料によって構成されており、タグずれ防止カバー部材４１ａに一体として形成されている。また、凸部４４は、弾性を有する樹脂等の材料によって構成されており、一対のタグずれ防止カバー部材４１ａ、４１ｂが規制状態の際に凹部４３と相対向するように、タグずれ防止カバー部材４１ｂに一体として形成されている。そして、一対のタグずれ防止カバー部材４１ａ、４１ｂを規制状態で保持する際は、固定手段４２は、凹部４３と凸部４４が若干弾性変形して、係合するように構成されている。従って、相反する方向に一定以上の力が加わらない限りは、固定手段４２の係合状態は解除されないので、一対のタグずれ防止カバー部材４１ａ、４１ｂの規制状態が容易に解除されることを防止することができる。
【００３０】
一対のタグ押さえ片５ａ、５ｂは、図１に示すように、基端側が一対のタグずれ防止カバー部材４１ａ、４１ｂに設けられた軸１１にそれぞれ回動自在に取り付けられている。この一対のタグ押さえ片５ａ、５ｂでは、先端側が図１に示す所定位置からそれぞれ軸１１を中心に互いに近接する方向へ回動できるように構成されている。また、一対のタグ押さえ片５ａ、５ｂには、それぞれ基端側に外周面から突出する突起部５１が設けられており、この突起部５１は、一対のタグ押さえ片５ａ、５ｂにそれぞれ一体として形成されており、一対のタグずれ防止カバー部材４１ａ、４１ｂにそれぞれ形成された略円弧状のスライド孔４５内に挿通されている。従って、一対のタグ押さえ片５ａ、５ｂが回動する際は、この突起部５１がスライド孔４５に沿ってスライドし、一対のタグ押さえ片５ａ、５ｂの回動範囲は、突起部５１がスライド孔４５に当接することにより、それ以上回動しないように規制される。尚、スライド孔４５の代わりに同形状のスライド溝をタグずれ防止カバー部材４１ａ、４１ｂにそれぞれ形成するようにしても良い。また、一対のタグ押さえ片５ａ、５ｂの回動範囲を規制するための構成は、これらに限定されるものではなく、回動範囲を規制するための従来公知の構成を用いても良い。
【００３１】
また、一対のタグ押さえ片５ａ、５ｂの互いに対向する側の面には、図１に示すように、それぞれ板ばね６が設けられている。このそれぞれの板ばね６は、一対のタグ押さえ片５ａ、５ｂの互いに対向する側の面から一対のタグずれ防止カバー部材４１ａ、４１ｂの互いに対向する面へと跨って設けられており、一対のタグ押さえ片５ａ、５ｂに対して先端側が互いに離反する方向へと回動させる付勢力を作用させている。従って、作業者が、一対のタグ押さえ片５ａ、５ｂを先端側が所定位置から互いに近接するように内側方向へ押圧して回動させた後、内側方向への押圧をやめることにより、それぞれの板ばね６の付勢力によって、一対のタグ押さえ片５ａ、５ｂは、それぞれ離反する方向へ回動させられ、図１に示す所定位置へと戻るようになっている。尚、図１では、一対のタグ押さえ片５ａ、５ｂに対して先端側が互いに離反する方向へと回動させる付勢力を作用させる第１付勢手段として板ばね６を用いている例を示しているが、これに限定されるものではなく、一対のタグ押さえ片５ａ、５ｂに対して先端側が互いに離反する方向へと回動させるように付勢力を作用させるものであれば良く、一対のタグ押さえ片５ａ、５ｂ自身を弾性を有する樹脂等によって形成し、その復元力を利用するように構成しても良い。また、詳しくは図示しないが、積層されたタグ２のうち最も下層側に位置するタグ２の外面２３の両端側が当接する一対のタグ押さえ片５ａ、５ｂの内側面には、弾性を有する部材が設けられており、タグ２の端部同士が当接する際に若干撓むことにより、タグ２の接着面積が大きくなるように構成されている。
【００３２】
一対の端部カバー部材１２ａ、１２ｂは、図１及び図８に示すように、タグ保持手段３に保持されたタグ２の両端側のずれをそれぞれ規制するためのものであって、基端側が一対のタグ押さえ片５ａ、５ｂの先端側に軸１３を介して着脱自在になっており、この軸１３を中心に回動するように構成されている。また、一対の端部カバー部材１２ａ、１２ｂの基端側には、一対のタグ押さえ片５ａ、５ｂの先端側から突出して設けられた突起部５２に沿った状態で回動するように、それぞれ略円弧状の凹部１４が形成されており、突起部５２が凹部１４の両端側で当接することにより、端部カバー部材１２ａ、１２ｂの回動範囲が規制される。また、それぞれの軸１３には、一対の端部カバー部材１２ａ、１２ｂの先端側を互いに近接する方向（内側方向）に回動させる付勢力を作用させるばね（第２付勢部材）１５がそれぞれ巻装されており、ばね１５の一端がそれぞれ一対のタグ押さえ片５ａ、５ｂに取り付けられ、他端がそれぞれ一対の端部カバー部材１２ａ、１２ｂに取り付けられている。従って、一対の端部カバー部材１２ａ、１２ｂがそれぞれ外側方向へ回動した場合でも、ばね１５の付勢力によって一対の端部カバー部材１２ａ、１２ｂは互いに近接する方向へ回動し、元の状態に戻る。また、一対の端部カバー部材１２ａ、１２ｂは、一対のタグ押さえ片５ａ、５ｂにそれぞれ着脱自在に取り付けられるので、必要に応じて使用することができる。尚、ばね１５を用いる代わりに、一対の端部カバー部材１２ａ、１２ｂと一対のタグ押さえ片５ａ、５ｂをそれぞれ弾性を有する樹脂等によって形成することにより、その復元力により元の状態に戻るように構成しても良い。また、図１及び図８では、タグ取り付け具１の正面図を示しているが、タグ取り付け具１の前後方向は、図５に示すように、対称になるように形成されており、タグずれ防止カバー部材４１ａ、４１ｂ及び端部カバー部材１２ａ、１２ｂは、それぞれタグ２が収まるように、水平方向断面が略Ｕ字状になるように形成されている。
【００３３】
また、図１及び図８に示すように、一対の端部カバー部材１２ａ、１２ｂの基端側を一対のタグ押さえ片５ａ、５ｂの先端側に軸１３を介して取り付ける代わりに、図１５に示すように、一対のタグ押さえ片５ａ、５ｂの先端に嵌合溝５３を形成し、一対の端部カバー部材１２ａ、１２ｂの基端側には、この嵌合溝５３の溝幅と略同一の径を有する略円柱状に形成された嵌合軸１２１を設けておき、嵌合溝５３に嵌合軸１２１を押し込んで嵌合させることにより、一対のタグ押さえ片５ａ、５ｂに、一対の端部カバー部材１２ａ、１２ｂをそれぞれ取り付けるようにしても良い。そして、一対の端部カバー部材１２ａ、１２ｂの基端側を、図１５に示すように、ばね１５の代わりに、弾性を有する樹脂等によって自然対数曲線に沿った形状に形成しておくことにより、一対の端部カバー部材１２ａ、１２ｂの先端側が互いに近接する方向へ回動するような復元力を有するようにしても良い。また、一対のタグ押さえ片５ａ、５ｂには、突起部５２ａが設けられており、この突起部５２ａに端部カバー部材１２ａ、１２ｂが当接することにより回動範囲が規制されるようになっている。
【００３４】
本実施形態に係るタグ取り付け具１では、タグ保持手段として、貫通孔２１が形成されているタグ２を挿通軸３１の先端側に設けられた複数のブラシ毛３により保持している例を示しているが、タグ保持手段は、これに限定されるものではなく、例えば、図１１に示すように、タグ２の貫通孔２１の周囲に切れ目２４を複数入れておき、複数のブラシ毛３の代わりに、挿通軸３１の先端に貫通孔２１よりも大きな径を有する略球状の拡径部３ａをタグ保持手段として設けることにより、図１２に示すように、複数のタグ２を保持するようにしても良い。尚、この拡径部３ａを有する挿通軸３１は、連結部材７と一体として形成するようにしても良い。
【００３５】
また、球状の拡径部３ａの代わりに、拡径部として図１３に示すように、外側方向に付勢力が作用する付勢部材（不図示）を挿通軸３１内に設けておくことにより、先端側が貫通孔２１の径よりも外側へと張り出す略三角形状の係止片３ｂを設けるようにしても良い。この係止片３ｂは、タグ２の貫通孔２１に挿通軸３１を挿入させる際に、挿通軸３１の外周形成されたスリット（不図示）内に引込むことで挿通軸３１内に収まるように構成されており、タグ２が係止片３ｂを通り過ぎた後は、付勢部材（不図示）によって外側に付勢力が作用することにより、再び元の状態に戻り、タグ２を保持する。
【００３６】
また、タグ２を保持するためのタグ保持手段としては、図１４に示すように、タグずれ防止カバー部材４１（４１ａ、４１ｂ）の内面に面ファスナ３ｃ等の摩擦部材を貼り付けておくことにより、タグずれ防止カバー部材４１（４１ａ、４１ｂ）内に収納されたタグ２の両側縁との接触部分に作用する摩擦力によりタグずれ防止カバー部材４１（４１ａ、４１ｂ）内に保持されるように構成しても良い。尚、この場合には、挿通軸３１は、連結部材７と一体として形成するようにしても良い。また、タグ２に貫通孔２１が形成せずに、挿通軸３１を設けないように構成しても良い。
【００３７】
以下、本実施形態に係るタグ取り付け具１を用いたタグ２の取り付け作業について図面を参照しつつ説明する。まず、タグ取り付け具１では、ブラシ毛３に複数のタグ２を保持するために、図４に示すように、一対のタグずれ防止カバー部材４１ａ、４１ｂを規制状態から解除状態になるように外側方向へ回動させる。そして、この状態で、積層された複数のタグ２の接着部を有しない外面２３側から挿通軸３１を貫通孔２１へ挿通させ、その後、再び一対のタグずれ防止カバー部材４１ａ、４１ｂを解除状態から規制状態に戻すように内側方向へ回動させる。これにより、図８に示すように、ブラシ毛３によって保持された複数のタグ２は、一対のタグずれ防止カバー部材４１ａ、４１ｂによって挿通軸３１を中心とする回転等によるずれが規制され、且つ、複数のタグ２の両端側も一対の端部カバー部材１２ａ、１２ｂによってずれが規制された状態になり、タグ２の取り付け作業を行うための準備が完了する。
【００３８】
次に、このように複数のタグ２が装着されたタグ取り付け具１を用いて、対象物Ｘにタグ２を取り付ける際には、図９に示すように、例えば、まず親指１６ａと中指１６ｃをタグ押さえ片５ａ、５ｂに当てて、中指１６ｃをバンド１０でタグ押さえ片５ｂに固定する。そして、積層されたタグ２のうち、最も上層側に位置するタグ２の内面２２側に対象物Ｘを位置させた状態で、作業者は、図９に示すように、板ばね６の付勢力に抗して、一対のタグ押さえ片５ａ、５ｂの先端側が互いに近接するように内側方向にそれぞれ押圧する。これにより、一対のタグ押さえ片５ａ、５ｂによって最も下層側に位置するタグ２の外面２３が押圧され、最も上層側に位置するタグ２の内面２２の接着部同士が当接する。この際、最も上層側に位置するタグ２の内面２２の接着部同士が当接する前に、一対の端部カバー部材１２ａ、１２ｂが互いに当接することになるが、一対の端部カバー部材１２ａ、１２ｂは、一対のタグ押さえ片５ａ、５ｂの先端側が互いに近接する方向に対して逆方向にそれぞれ回動できるように構成されているので、図９に示すように、最も上層側に位置するタグ２の内面２２の接着部同士、特にタグ２の両端部分を当接させることができ、タグ２は、対象物Ｘの周囲を囲んだ状態で、リング状に形成され、対象物Ｘに取り付けられる。尚、図９では、対象物Ｘに取り付けられる最も上層に位置するタグ２以外のタグについては省略して図示している。この作業中に、対象物Ｘを掴む必要がある時は、空いているもう一方の手で掴んでも良い。また、タグ取り付け具１を持っている手の方の親指１６ａと人差し指１６ｂはフリーになっているので、この２本の指で他の作業をすることもできる。この場合でも、中指１６ｃはバンド１０でタグ押さえ片５ｂに固定されているので、タグ取り付け具１が落下することはない。
【００３９】
その後、作業者は、一対のタグ押さえ片５ａ、５ｂの内側方向への押圧をやめることにより、図１０に示すように、板ばね６の付勢力によって、一対のタグ押さえ片５ａ、５ｂは、軸１１を中心に先端側がそれぞれ離反する方向へ回動させられ、所定位置へと戻ると共に、一対の端部カバー部材１２ａ、１２ｂも、ばね１５の付勢力によって軸１３を中心に内側方向に回動させられ、元の状態に戻る。そして、対象物Ｘの周囲を囲むようにリング状に形成され、対象物Ｘに取り付けられたタグ２ａを挿通軸３１から抜き出すことにより、対象物Ｘへのタグ２の取り付け作業が完了する。この抜き出しは、対象物Ｘをリング状になったタグ２で囲んでおり、又、積層されたタグ２は互いに接着していないので、タグ押さえ片５ａ、５ｂを押えている２本の指から力を抜いて引っ張るだけで、簡単に抜け出せる。
【００４０】
尚、本発明の実施の形態は上述の形態に限るものではなく、本発明の思想の範囲を逸脱しない範囲で適宜変更することができる。
【符号の説明】
【００４１】
１              タグ取り付け具
２              タグ
２１            貫通孔
２２            内面
２３            外面
３              ブラシ毛（タグ保持手段）
３ａ、３ｂ      拡径部（タグ保持手段）
３ｃ            面ファスナ（摩擦部材）
３１            挿通軸
４              タグずれ防止部
４１ａ、４１ｂ  タグずれ防止カバー部材
４２            固定手段
５ａ、５ｂ      タグ押さえ片
６              板ばね（第１付勢手段）
７              連結部材
９              バンド支持部材
１０            バンド
１２ａ、１２ｂ  端部カバー部材
１５            ばね（第２付勢手段）
【図１】
2015160655.tif 000003
【図２】
2015160655.tif 000004
【図３】
2015160655.tif 000005
【図４】
2015160655.tif 000006
【図５】
2015160655.tif 000007
【図６】
2015160655.tif 000008
【図７】
2015160655.tif 000009
【図８】
2015160655.tif 000010
【図９】
2015160655.tif 000011
【図１０】
2015160655.tif 000012
【図１１】
2015160655.tif 000013
【図１２】
2015160655.tif 000014
【図１３】
2015160655.tif 000015
【図１４】
2015160655.tif 000016
【図１５】
2015160655.tif 000017
【図１６】
2015160655.tif 000018